(57)【要約】【課題】平衡線路の間隔変更に柔軟に対応することが可能な高周波同軸コネクタと、この高周波同軸コネクタを含む平衡コネクタ評価用基板とを提供する。【解決手段】平衡コネクタ評価用基板２は、平衡線路３を有する基板４と、平衡線路３の一端に接続される平衡コネクタ５と、平衡線路３の他端に接続される高周波同軸コネクタ１とを備えて構成されている。高周波同軸コネクタ１は、コネクタ本体６と、このコネクタ本体６から突出する一対のコンタクト７とを有している。コネクタ本体６は、一対の同軸コネクタ部８を横に並べてなる構造を有している。また、一対の同軸コネクタ部８を一体化してなる構造を有している。コネクタ本体６は、金属筐体９と、一対の絶縁体と、一対の芯線と、差動インピーダンス調整構造部１２とを備えて構成されている。【選択図】図１
2007165219.tif 000002
【特許請求の範囲】
【請求項１】
同軸ケーブルの接続先となる同軸コネクタ部を対で有するコネクタ本体と、該コネクタ本体から突出して接続先となる平衡線路に接続される一対のコンタクトとを備え、該一対のコンタクトは、前記コネクタ本体に対して別体のものであり、前記コネクタ本体は、前記一対のコンタクトの取り付け位置によって差動インピーダンスに応じた不平衡線路を形成する差動インピーダンス調整構造部を有する
ことを特徴とする高周波同軸コネクタ。
【請求項２】
請求項１に記載の高周波同軸コネクタにおいて、
前記同軸コネクタ部を構成する芯線及び絶縁体と前記差動インピーダンス調整構造部とを一体化し、該一体化したものを差込により前記コネクタ本体を構成する金属筐体に固定してなる、又は、前記差動インピーダンス調整構造部のみを差込により前記金属筐体に固定してなる
ことを特徴とする高周波同軸コネクタ。
【請求項３】
請求項２に記載の高周波同軸コネクタにおいて、
前記金属筐体に前記差動インピーダンス調整構造部を押し出して取り外しするための窓部を形成する
ことを特徴とする高周波同軸コネクタ。
【請求項４】
平衡線路を有する基板と、前記平衡線路の一端に接続される平衡コネクタと、前記平衡線路の他端に接続される請求項１ないし請求項３いずれか記載の高周波同軸コネクタとを備える
ことを特徴とする平衡コネクタ評価用基板。
【発明の詳細な説明】
【技術分野】
【０００１】
本発明は、平衡コネクタを評価する際に用いることが好適な高周波同軸コネクタと、平衡コネクタを評価するための評価用基板とに関する。
【背景技術】
【０００２】
平衡ケーブル（例えば安価なツイストペアケーブルなど）の端末に設ける平衡コネクタの特性を評価しようとする場合、ネットワークアナライザやオシロスコープなどの測定器を用いる必要性がある。この測定器は、測定ケーブルとして同軸ケーブルを備えることから、平衡コネクタと同軸ケーブルとの間に平衡線路と不平衡線路とを有する評価用基板を設けて測定・評価をしなければならないことになる。
【０００３】
上記のことをふまえると、評価用基板は、この評価用基板の平衡線路に平衡コネクタを接続し、平衡線路から分かれる二つの不平衡線路の各端末に、不平衡の同軸コネクタを設けるような構造が考えられる。
【０００４】
尚、平衡コネクタに関しては下記特許文献１の開示技術が知られている。また、同軸コネクタに関しては下記特許文献２の開示技術が知られている。また、平衡−不平衡線路に関しては下記特許文献３の開示技術が知られている。
【特許文献１】特許第３５３３５６８号公報
【特許文献２】特許第２９７６３２４号公報
【特許文献３】特開平６−２１５６４７号公報
【発明の開示】
【発明が解決しようとする課題】
【０００５】
上記の平衡コネクタ評価用基板は、二つの同軸コネクタの配置関係から、平衡−不平衡線路が長く（特に不平衡線路が長く）なるとともに不平衡線路の間隔が開いてしまうという問題点を有している。従って、上記の平衡コネクタ評価用基板は、高周波の損失が大きくなり、精度の良い測定ができないという問題点を有している。また、上記の平衡コネクタ評価用基板は、二つの同軸コネクタを有することから、部品点数が多く組み立て作業時間もかかるという問題点を有している。
【０００６】
そこで、本願発明者は上記の問題点を解消するために、二つの同軸コネクタを一体化するとともに、一体化した同軸コネクタ内部に不平衡線路を形成し、この不平衡線路に連続するコネクタ側の一対のコンタクトを介して基板上の平衡線路とを接続することを考えている。しかしながら、このような構造の場合には、基板上の平衡線路の間隔を変更する必要性が生じると、コネクタ側の一対のコンタクトの間隔も変更する必要性が生じることから、コネクタ自体を再設計して新設しなければ対応することができないという問題点を有している。
【０００７】
本発明は、上述した事情に鑑みてなされたもので、平衡線路の間隔変更に柔軟に対応することが可能な高周波同軸コネクタと、この高周波同軸コネクタを含む平衡コネクタ評価用基板とを提供することを課題とする。
【課題を解決するための手段】
【０００８】
上記課題を解決するためになされた請求項１記載の本発明の高周波同軸コネクタは、同軸ケーブルの接続先となる同軸コネクタ部を対で有するコネクタ本体と、該コネクタ本体から突出して接続先となる平衡線路に接続される一対のコンタクトとを備え、該一対のコンタクトは、前記コネクタ本体に対して別体のものであり、前記コネクタ本体は、前記一対のコンタクトの取り付け位置によって差動インピーダンスに応じた不平衡線路を形成する差動インピーダンス調整構造部を有することを特徴としている。
【０００９】
このような特徴を有する本発明によれば、差動インピーダンスが例えば９０Ωの場合、この９０Ωに対応する位置に一対のコンタクトを取り付けると、差動インピーダンスに応じた回路（不平衡線路）がコネクタ本体において形成される。また、差動インピーダンスが例えば１１０Ωの場合、この１１０Ωに対応する位置に一対のコンタクトを取り付けると、上記同様、差動インピーダンスに応じた回路がコネクタ本体において形成される。
【００１０】
本発明によれば、一対の同軸コネクタ部を一体化した高周波同軸コネクタとなる。また、差動インピーダンス調整構造部を有する高周波同軸コネクタとなる。差動インピーダンス調整構造部は、一対のコンタクトの間隔を平衡線路の間隔に合わせて広げたり狭めたりしても、常に各コンタクトが対応する不平衡線路に接続されるような構造を有するものとする。
【００１１】
請求項２記載の本発明の高周波同軸コネクタは、請求項１に記載の高周波同軸コネクタにおいて、前記同軸コネクタ部を構成する芯線及び絶縁体と前記差動インピーダンス調整構造部とを一体化し、該一体化したものを差込により前記コネクタ本体を構成する金属筐体に固定してなる、又は、前記差動インピーダンス調整構造部のみを差込により前記金属筐体に固定してなることを特徴としている。
【００１２】
このような特徴を有する本発明によれば、ネクタ本体の形成が容易に行われる。すなわち、差動インピーダンス調整構造部を金属筐体に差し込んで固定することによりコネクタ本体の形成が容易に行われる。差込による固定は、コネクタ本体の形成を容易にするために有用である。同軸コネクタ部の構成の一部を差動インピーダンス調整構造部に一体化すると、より一層コネクタ本体の形成が容易になる。
【００１３】
請求項３記載の本発明の高周波同軸コネクタは、請求項２に記載の高周波同軸コネクタにおいて、前記金属筐体に前記差動インピーダンス調整構造部を押し出して取り外しするための窓部を形成することを特徴としている。
【００１４】
このような特徴を有する本発明によれば、金属筐体の窓部を介して差動インピーダンス調整構造部を押すと、この差動インピーダンス調整構造部の取り外しが容易に行える。窓部は、差動インピーダンス調整構造部の例えば構成変更を行うために有用な部分になる。
【００１５】
請求項４記載の本発明の平衡コネクタ評価用基板は、平衡線路を有する基板と、前記平衡線路の一端に接続される平衡コネクタと、前記平衡線路の他端に接続される請求項１ないし請求項３いずれか記載の高周波同軸コネクタとを備えることを特徴としている。
【００１６】
このような特徴を有する本発明によれば、上記の高周波同軸コネクタを有する評価用基板になる。評価用基板は、基板に対して平衡コネクタと高周波同軸コネクタとを接続するのみで組み立てられる。平衡線路は、基板にプリントしたりツイストペアケーブルを用いたりすることが一例として挙げられる。
【発明の効果】
【００１７】
請求項１、４に記載された本発明によれば、平衡線路の間隔変更に柔軟に対応することができるという効果を奏する。また、請求項２に記載された本発明によれば、コネクタ本体の形成を容易にすることができるという効果を奏する。また、請求項３に記載された本発明によれば、差動インピーダンス調整構造部の取り外しを容易に行うことができるという効果を奏する。
【発明を実施するための最良の形態】
【００１８】
以下、図面を参照しながら説明する。図１（ａ）は本発明の高周波同軸コネクタの一実施の形態を示す斜視図であり、図１（ｂ）は本発明の平衡コネクタ評価用基板の一実施の形態を示す構成図である。また、図２は高周波同軸コネクタの分解斜視図、図３は組み立て過程での断面図である。
【００１９】
図１において、引用符号１は本発明の高周波同軸コネクタを示している。この高周波同軸コネクタ１は、図１（ｂ）に示す本発明の平衡コネクタ評価用基板２の一構成部材として備えられている。平衡コネクタ評価用基板２は、平衡線路３を有する基板４と、平衡線路３の一端に接続される平衡コネクタ５と、平衡線路３の他端に接続される高周波同軸コネクタ１とを備えて構成されている。以下、図１ないし図３を参照しながら各構成部材について説明する。
【００２０】
高周波同軸コネクタ１は、コネクタ本体６と、このコネクタ本体６から突出する一対のコンタクト７とを有している。コネクタ本体６は、一対の同軸コネクタ部８を横に並べてなる構造を有している。また、一対の同軸コネクタ部８を一体化してなる構造を有している。コネクタ本体６は、金属筐体９と、一対の絶縁体１０と、一対の芯線１１と、差動インピーダンス調整構造部１２とを備えて構成されている。
【００２１】
金属筐体９は、一対の同軸コネクタ部８の共通部材となるように形成されている。金属筐体９の材質としては、ステンレス、銅合金、アルミニウム等が一例として挙げられる。また、金属筐体９の表面処理としては、Ａｕ、Ａｇ、Ｎｉ、Ｐａ等が一例として挙げられる。
【００２２】
金属筐体９には、図示しない同軸ケーブルに対する一対の測定ケーブル接続部１３が形成されている。この測定ケーブル接続部１３は、同軸コネクタ部８を構成する部分であって、筐体本体１４の前面から突出するように形成されている。測定ケーブル接続部１３は、略筒状であって、この外側には、雄ねじ１５が所定の範囲で形成されている。筐体本体１４は、この後面に開口部１６を有している。開口部１６の奥には、差動インピーダンス調整構造部１２を収納するための収納部１７が形成されている。収納部１７と測定ケーブル接続部１３の内部は、連通するように形成されている。開口部１６を有する後面は、基板４が当接する基板当接面として形成されている。基板４が当接する部分には、基板４を固定するための一対の基板固定部１８が形成されている。
【００２３】
各基板固定部１８は、後面の側縁部から突出するように形成されている。各基板固定部１８は、基板４を挟み込んで半田付けをすることができるような形状に形成されている。各基板固定部１８には、基板４を挟み込むことができるような格好の基板差込溝１９が形成されている。尚、図中の基板固定部１８の形状は一例であるものとする。
【００２４】
筐体本体１４の前面には、窓部２０が形成されている。本形態において、窓部２０は、一対の測定ケーブル接続部１３の間の位置で、収納部１７に連通するように貫通形成されている。窓部２０は、収納部１７に収納された状態の差動インピーダンス調整構造部１２を取り外しする際に用いる部分として形成されている。すなわち、差動インピーダンス調整構造部１２を押し出しすることができる部分として形成されている。尚、窓部２０の形成は任意であるものとする。窓部２０の形成によって差動インピーダンス調整構造部１２の例えば構成変更を行うことが容易になるのは勿論である。
【００２５】
各測定ケーブル接続部１３の内部には、それぞれ絶縁体１０が設けられている。絶縁体１０は、絶縁性を有する円柱状に形成されている。各絶縁体１０には、対応する芯線１１を差し込むための挿入部２１が形成されている。各芯線１１は、導電性を有している。各芯線１１の一端には、図示しない同軸ケーブルの中心導体に対して電気的に接触する中心導体接続部２２が形成されている。各芯線１１は、差動インピーダンス調整構造部１２から突出するように設けられている。尚、図３（ｂ）に示すように、芯線１１を絶縁体１０の内部に設け、芯線１１の他端が差動インピーダンス調整構造部１２の芯線接続部２３と接触するように形成してもよいものとする。
【００２６】
差動インピーダンス調整構造部１２は、誘電体２４と、一対の不平衡線路２５とを備えて構成されている。誘電体２４は、収納部１７に収納することができる大きさに形成されている。誘電体２４は、上下に分割可能な構造で形成されている。引用符号２６は上側分割誘電体、引用符号２７は下側分割誘電体を示している。
【００２７】
上側分割誘電体２６及び下側分割誘電体２７は、分割面において、複数のコンタクト挿入部２８及び不平衡線路装着部２９を有している。複数のコンタクト挿入部２８及び不平衡線路装着部２９は、連通するように形成されている。不平衡線路装着部２９は、複数のコンタクト挿入部２８に対し所定の角度を持って連通するように配置形成されている。
【００２８】
誘電体２４は、上側分割誘電体２６及び下側分割誘電体２７の分割面同士を合わせると、コンタクト７を挿入することが可能な複数のコンタクト挿入部２８が横一列に並んで形成されるようになっている。また、分割面同士を合わせると、各不平衡線路２５を対応する不平衡線路装着部２９に挟み込んで固定することができるようになっている。
【００２９】
各不平衡線路２５は、この中間が折れ曲がり、一端側がコンタクト７と電気的に接続されるようになっている。各不平衡線路２５は、どのコンタクト挿入部２８を選んでもコンタクト７が接続されるように配置形成されている。各不平衡線路２５の他端には、芯線１１が連成されている（図３（ｂ）の場合は芯線接続部２３が連成されている）。差動インピーダンス調整構造部１２は、コンタクト７の接続位置（取り付け位置）によって差動インピーダンスに応じた不平衡線路２５が形成されるようになっている。
【００３０】
各コンタクト７は、コネクタ本体６に対し別体のものであって、図示のようなピン状に形成されている（例えば断面矩形に形成してもよいものとする）。各コンタクト７は、基板４の対応する平衡線路３に接続される部分と、差動インピーダンス調整構造部１２のコンタクト挿入部２８に差し込まれる部分とを有するように形成されている。尚、各コンタクト７と対応する不平衡線路２５との接続は、例えば半田チップを間に設け、この後に熱したコンタクト７を押し付けて半田チップを溶かし接続することが一例として挙げられるものとする。
【００３１】
基板４の表面は、平衡線路形成面となっており、平衡線路３が形成されている（平衡線路３のみで、不平衡線路は存在しない）。基板４の表裏面には、グランド３０が形成れている。平衡コネクタ５は、測定対象、若しくは測定対象のコネクタを接続するためのものであって、コネクタハウジング３１と、平衡線路３の一端に接続される端子金具（図示省略）とを備えて構成されている。平衡線路３は、高周波同軸コネクタ１のコンタクト７の接続が行われるため、他端が基板４のエッジ部分まで伸びるように形成されている。平衡線路３は、本形態において、基板４にプリント形成されているが、この限りでないものとする。すなわち、ツイストペアケーブルなどを用いてもよいものとする。
【００３２】
上記構成において、差動インピーダンス調整構造部１２を収納部１７に収納してコネクタ本体６を形成した後、差動インピーダンスに応じた回路が形成されるように一対のコンタクト７を対応するコンタクト挿入部２８に差し込んで不平衡線路２５との接続を行うと、高周波同軸コネクタ１の組み立てが完了する。そして、基板４の平衡線路３の一端に平衡コネクタ５を接続し、平衡線路３の他端に高周波同軸コネクタ１を接続すると、平衡コネクタ評価用基板２の組み立ても完了する。
【００３３】
平衡線路３の他端と高周波同軸コネクタ１との接続に関しては、基板４の上記エッジ部分に高周波同軸コネクタ１の基板差込溝１９を差し込み、一対のコンタクト７と平衡線路３の他端、及び、一対の基板固定部１８とグランド３０とを半田付けにより電気的に接続することにより完了する。
【００３４】
組み立て完了後、高周波同軸コネクタ１の対応する同軸コネクタ部８に図示しない測定器の同軸ケーブルを接続すれば、平衡コネクタ５の特性を評価することができるようになっている。
【００３５】
以上、図１ないし図３を参照しながら説明してきたように、本発明によれば、差動インピーダンスに応じた回路の形成を可能としていることから、平衡線路３において間隔変更の必要性があったとしてもこれに柔軟に対応することができる。
【００３６】
その他、本発明によれば、短い距離で平衡−不平衡線路を構成することができる。伝送線路の距離が短くなることから、高周波の損失が極力抑えられ、結果、精度よい測定をすることができる。また、本発明によれば、高周波同軸コネクタ１の構造から、基板４に取り付ける不平衡の同軸コネクタの数を削減するとともに、組み立てに係る作業時間を低減することができる。さらに、本発明によれば、基板４に平衡線路３のみを形成すればよい構造であることから、基板設計やコネクタの組み立て方による個人差を解消することができる。
【００３７】
次に、図４を参照しながら本発明の高周波同軸コネクタの他の一実施の形態を説明する。図４は他の一実施の形態を示す分解斜視図である。
【００３８】
図４において、高周波同軸コネクタ４１は、差動インピーダンス調整構造部４２の誘電体４３に一対の絶縁体４４を一体化した点が図１の形態と基本的に異なっている。図４の場合では、図１の形態の効果の他に、高周波同軸コネクタ４１の組み立てが一層容易になるという効果を有している。
【００３９】
続いて、図５を参照しながら本発明の高周波同軸コネクタの更に他の一実施の形態を説明する。図５は更に他の一実施の形態を示す分解斜視図である。
【００４０】
図５において、高周波同軸コネクタ５１は、一対の同軸コネクタ部５２の配置をＶ字状にした点が図１の形態と基本的に異なっている。図５の場合では、図１の形態の効果の他に、図示しない測定器の同軸ケーブルとの接続性が良好になるという効果を有している。
【００４１】
その他、本発明は本発明の主旨を変えない範囲で種々変更実施可能なことは勿論である。
【図面の簡単な説明】
【００４２】
【図１】（ａ）は本発明の高周波同軸コネクタの一実施の形態を示す斜視図であり、（ｂ）は本発明の平衡コネクタ評価用基板の一実施の形態を示す構成図である。
【図２】高周波同軸コネクタの分解斜視図である。
【図３】組み立て過程での断面図である。
【図４】本発明の高周波同軸コネクタの他の一実施の形態を示す分解斜視図である。
【図５】本発明の高周波同軸コネクタの更に他の一実施の形態を示す平面図である。
【符号の説明】
【００４３】
１  高周波同軸コネクタ
２  平衡コネクタ評価用基板
３  平衡線路
４  基板
５  平衡コネクタ
６  コネクタ本体
７  コンタクト
８  同軸コネクタ部
９  金属筐体
１０  絶縁体
１１  芯線
１２  差動インピーダンス調整構造部
１７  収納部
１８  基板固定部
１９  基板差込溝
２０  窓部
２４  誘電体
２５  不平衡線路
２６  上側分割誘電体
２７  下側分割誘電体
２８  コンタクト挿入部
２９  不平衡線路装着部
３０  グランド
【図１】
2007165219.tif 000003
【図２】
2007165219.tif 000004
【図３】
2007165219.tif 000005
【図４】
2007165219.tif 000006
【図５】
2007165219.tif 000007